(57)【特許請求の範囲】
【請求項１】
注水水頭線より下方で、不透水層に近い場所において、帯水層に形成された汚染物質の滞留部から離れた地下水の流れの下流側の地点に揚水井を設けると共に、前記揚水井内に揚水ポンプを配置する工程と、
前記滞留部に、各注水口が同じ高さで面一となるように複数の第一の注入管を地上側から設ける工程と、
前記帯水層上部に各注水口が同じ高さで面一となるように複数の第三の注入管を地上側から設ける工程と、
前記複数の第三の注入管の各注水口から前記汚染物質の滞留部の上部の前記帯水層に真水を注水して前記汚染物質の滞留部の上部に面的な浸透注入によるバリヤゾーンを設ける工程と、
注入量と注入圧を調整することにより、浸透注入を図るように操作しながら前記複数の第一の注入管の各注水口から真水を注入する工程と、
前記複数の第一の注入管の各注水口から注入される前記真水によって前記汚染物質を下から持ち上げて流動化し、前記揚水ポンプによって前記汚染物質を揚水の流動域まで移動させ前記揚水井から排出する工程と
を有し、
流動化した前記汚染物質の前記帯水層中への拡散を前記バリヤゾーンによって防止しながら、流動化した前記汚染物質を前記揚水ポンプによって揚水の流動域まで移動させ、前記揚水井から排出する
ことを特徴とする地下水汚染浄化方法。
【請求項２】
注水水頭線より下方で、不透水層に近い場所において、帯水層に形成された汚染物質の滞留部から離れた地下水の流れの下流側の地点に揚水井を設けると共に、前記揚水井内に揚水ポンプを配置する工程と、
前記滞留部に、各注水口が同じ高さで面一となるように複数の第一の注入管を地上側から設ける工程と、
前記帯水層上部に各注水口が同じ高さで面一となるように複数の第三の注入管を地上側から設ける工程と、
前記複数の第三の注入管の各注水口から前記汚染物質の滞留部の上部の前記帯水層に真水を注水して前記汚染物質の滞留部の上部に面的な浸透注入によるバリヤゾーンを設ける工程と、
注入量と注入圧を調整することにより、浸透注入を図るように操作しながら前記複数の第一の注入管の各注水口から塩化カルシウム溶液を注入する工程と、
前記複数の第一の注入管の各注水口から注入される前記塩化カルシウム溶液によって前記汚染物質を下から持ち上げて流動化し、前記揚水ポンプによって前記汚染物質を揚水の流動域まで移動させ前記揚水井から排出する工程と
を有し、
流動化した前記汚染物質の前記帯水層中への拡散を前記バリヤゾーンによって防止しながら、流動化した前記汚染物質を前記揚水ポンプによって揚水の流動域まで移動させ、前記揚水井から排出する
ことを特徴とする地下水汚染浄化方法。
【発明の詳細な説明】
【技術分野】
【０００１】
本発明は、帯水層内に残留しやすい汚染物質を流動化させ、かつ拡散を抑制しながら揚水することにより、地下水汚染の浄化を図る方法に関する。
【背景技術】
【０００２】
周知のように、帯水層内に残留しやすい汚染物質としては、例えば、塗料、印刷インキ、接着剤、洗浄剤、ガソリン、シンナーなどに含まれるトルエン、キシレン、酢酸エチルなどの揮発性有機化合物（Volatile Organic Compounds、以下、ＶＯＣと称する）や、例えば、重金属、硝酸性窒素および亜硝酸性窒素などがある。
従来、地下水汚染の浄化方法として、揚水により汚染地下水を地表に汲み上げ、浄化し下水放流することが行われてきた（例えば、特許文献１参照）。
さらに、揚水を促進する方法として、真水の注水を行い、汚染地下水の希釈および入れ替えも行われてきた。
【先行技術文献】
【特許文献】
【０００３】
【特許文献１】特開平０８−３２３３３８号公報
【発明の概要】
【発明が解決しようとする課題】
【０００４】
しかしながら、特許文献１記載の方法では、揚水による地下水の移動が起きにくいデッドゾーンや土粒子に付着した汚染物質が残留しやすい状況にあった。特に、揚水水頭線より下にある不透水層に近い場所は、揚水の影響を受けにくく汚染物質が残ってしまうという問題があった。
【０００５】
また、注水を行っても、注水井近傍は汚染物質の移動が生じても、揚水・注水の遷移付近では地下水が滞留し、汚染物質の移動が鈍くなる可能性がある。
また、ＶＯＣのように比重の大きな汚染物質の場合は、汚染物質より水が軽いために水だけが上方へ流れてしまい、注入した水のみが揚水井に移動し、汚染物質は元のままになる可能性もあった。
【０００６】
本発明は斯かる従来の問題点を解決するために為されたもので、その目的は、帯水層内に残留しやすい汚染物質を流動化させ、かつ拡散を抑制しながら揚水することにより、地下水汚染の浄化を図る方法を提供することにある。
【課題を解決するための手段】
【０００７】
請求項１に係る発明は、注水水頭線より下方で、不透水層に近い場所において、帯水層に形成された汚染物質の滞留部から離れた地下水の流れの下流側の地点に揚水井を設けると共に、前記揚水井内に揚水ポンプを配置する工程と、前記滞留部に、各注水口が同じ高さで面一となるように複数の第一の注入管を地上側から設ける工程と、前記帯水層上部に各注水口が同じ高さで面一となるように複数の第三の注入管を地上側から設ける工程と、前記複数の第三の注入管の各注水口から前記汚染物質の滞留部の上部の前記帯水層に真水を注水して前記汚染物質の滞留部の上部に面的な浸透注入によるバリヤゾーンを設ける工程と、注入量と注入圧を調整することにより、浸透注入を図るように操作しながら前記複数の第一の注入管の各注水口から真水を注入する工程と、前記複数の第一の注入管の各注水口から注入される前記真水によって前記汚染物質を下から持ち上げて流動化し、前記揚水ポンプによって前記汚染物質を揚水の流動域まで移動させ前記揚水井から排出する工程とを有し、流動化した前記汚染物質の前記帯水層中への拡散を前記バリヤゾーンによって防止しながら、流動化した前記汚染物質を前記揚水ポンプによって揚水の流動域まで移動させ、前記揚水井から排出することを特徴とする。
【０００８】
請求項２に係る発明は、注水水頭線より下方で、不透水層に近い場所において、帯水層に形成された汚染物質の滞留部から離れた地下水の流れの下流側の地点に揚水井を設けると共に、前記揚水井内に揚水ポンプを配置する工程と、前記滞留部に、各注水口が同じ高さで面一となるように複数の第一の注入管を地上側から設ける工程と、前記帯水層上部に各注水口が同じ高さで面一となるように複数の第三の注入管を地上側から設ける工程と、前記複数の第三の注入管の各注水口から前記汚染物質の滞留部の上部の前記帯水層に真水を注水して前記汚染物質の滞留部の上部に面的な浸透注入によるバリヤゾーンを設ける工程と、注入量と注入圧を調整することにより、浸透注入を図るように操作しながら前記複数の第一の注入管の各注水口から塩化カルシウム溶液を注入する工程と、前記複数の第一の注入管の各注水口から注入される前記塩化カルシウム溶液によって前記汚染物質を下から持ち上げて流動化し、前記揚水ポンプによって前記汚染物質を揚水の流動域まで移動させ前記揚水井から排出する工程とを有し、流動化した前記汚染物質の前記帯水層中への拡散を前記バリヤゾーンによって防止しながら、流動化した前記汚染物質を前記揚水ポンプによって揚水の流動域まで移動させ、前記揚水井から排出することを特徴とする。
【発明の効果】
【００１０】
本発明により、帯水層中に滞留しやすい汚染物質を流動化させ、揚水井からの揚水排出を容易にさせ、地下水汚染の浄化を促進することが可能となる。
本発明により、注水点を帯水層の性質にあわせ、汚染物質を揚水井に誘導するように設けることにより、地下水汚染の浄化を促進することが可能となる。
【００１１】
本発明により、比重の大きいＶＯＣのような汚染物質に対しては、浄化後に真水で希釈排出可能な非汚染溶液を用いることにより、地下水汚染の浄化を促進することが可能となる。
本発明により、帯水層中に、流動化した汚染物質が拡散しないように真水によるバリヤを設けることにより、不用意な汚染の拡散を防止するとともに、揚水井への流動を促進することが可能となる。
【図面の簡単な説明】
【００１２】
【図１】本発明の第一実施形態に係る地下水汚染浄化方法を示す図である。
【図２】本発明の第二実施形態に係る地下水汚染浄化方法を示す図である。
【図３】本発明の第三実施形態に係る地下水汚染浄化方法を示す図である。
【発明を実施するための形態】
【００１３】
以下、本発明を図面に示す実施形態に基づいて説明する。
図１は、本発明の第一実施形態に係る地下水汚染浄化方法を示す。
本実施形態では、図１（１）に示すように、不透水層に近い場所において、帯水層に形成された汚染物質の滞留部１０にから離れた地下水の流れの下流側の地点に揚水井１を設ける。揚水井１内に揚水ポンプ３を配置する。
また、図１（１）に示すように、注水水頭線より下方で、不透水層に近い場所において、帯水層に形成された汚染物質の滞留部１０に、帯水層の透水性に適合した間隔で各注水口７が同じ高さで面一となるように多数の第一の注入管５を設ける。
【００１４】
次に、図１（２）に示すように、各第一の注入管５から真水を注入し、揚水井１の揚水ポンプ３を駆動する。
この際、各第一の注入管５は、注入量と注入圧を調整することにより、浸透注入を図るように操作される。
そして、汚染物質は各第一の注入管５の各注水口７から注入される真水によって下から持ち上げられて流動化し、揚水ポンプ３による排出を促進する。
【００１５】
以上のように、汚染域全体に面的に注水を実施することにより、通常の揚水では動き難い汚染物質を揚水の流動域まで移動させることで、揚水井１から汚染物質を排出することが可能となる。
なお、本実施形態において、帯水層は、上層部の第一帯水層と深部の第二帯水層を総称する用語として定義する。以下の実施形態においても同様である。
【００１６】
図２は、本発明の第二実施形態に係る地下水汚染浄化方法を示す。
第一実施形態に係る地下水汚染浄化方法では、多数の第一の注入管５をそれぞれの注水口７が同じ高さで面一となるように配置したが、本実施形態では、汚染物質の滞留部１０の厚さに応じ、多数の第一の注入管５のそれぞれの注水口７より地上側にそれぞれの注水口７ａが同じ高さで面一になるように第二の注入管５ａを設け、下部から順番に注水することにより汚染物質の流動化を促進するようにした。
本実施形態では、第一の注入管５と第二の注入管５ａとを用いて２層の注入とした場合について説明したが、汚染物質の滞留部１０の厚さに応じて３段、４段とすることも可能である。
【００１７】
また、第一実施形態および第二実施形態では、真水を注入する場合について説明したが、汚染物質の性質に応じて、注入する物質を真水から比重・粘性のある溶液（例えば、自然界に存在する非汚染物質であり比重が大きく水に溶けやすい塩化カルシウム溶液）に代えて注入することで、汚染物質の動きを容易にすることもできる。
さらに、地下水中の汚染物質を揚水井から排出した後、浄化に使用した人工溶液を真水により希釈・入れ替えすることにより、本来の帯水層に復元することができる。
従って、浄化に使用する人工溶液は、真水に容易に希釈される非汚染物質とする。
【００１８】
図３は、本発明の第三実施形態に係る地下水汚染浄化方法を示す。
本実施形態に係る地下水汚染浄化方法では、注入により持ち上げられた汚染物質が不用意に帯水層や不飽和層に拡散することがないように、帯水層上部に真水を注入する多数の第三の注入管５ｂを第一の注入管５と同様にそれぞれの注水口７ｂが同じ高さで面一になるように設ける。
多数の第三の注入管５ｂによる、真水の面的な浸透注入によるバリヤゾーン１５を設け、不用意な汚染の拡散を防止するとともに、揚水井１への流動を図ることができる。
【符号の説明】
【００１９】
１  揚水井
３  揚水ポンプ
５  第一の注入管
５ａ  第二の注入管
５ｂ  第三の注入管
７，７ａ，７ｂ  注水口
１０  汚染物質の滞留部
１５  バリヤゾーン
【図１】
0005721097.tif 000002
【図２】
0005721097.tif 000003
【図３】
0005721097.tif 000004